(57)【特許請求の範囲】
【請求項１】
周面にトナー像が形成される感光体ドラム、前記感光体ドラムの周面を帯電させる帯電部、及び、前記感光体ドラムにトナーを供給する現像部を備える画像形成装置に配置され、前記現像部に電圧を印加する高圧電源装置であって、
前記画像形成装置に電力を供給する主電源が遮断されたときに、前記現像部に印加するバイアス電圧の立下り時間を、予め設定された閾値時間以上とする遅延部を備え、
前記閾値時間は、前記主電源が遮断された時点で前記感光体ドラムの周面の前記帯電部と対向する位置が前記現像部と対向する位置に到達するまでの時間であり、
前記遅延部は、前記現像部に印加するバイアス電圧の立下り時間を遅延させる第１蓄電素子を備え、
前記第１蓄電素子は、コンデンサーであり、
前記バイアス電圧を生成する電圧発生部と、
前記電圧発生部に対して前記バイアス電圧の生成及び停止を指示する制御信号を出力する制御部と
を備え、
前記遅延部は、
前記主電源の遮断を検出する遮断検出回路と、
前記遮断検出回路によって前記主電源の遮断が検出された場合に、前記電圧発生部に対して前記バイアス電圧の停止を指示する旨の制御信号を遅延させる遅延回路と
を備え、
前記遮断検出回路は、第２蓄電素子を備え、
前記第２蓄電素子は、前記主電源が遮断された場合に、第１所定時間の間、前記遮断検出回路を動作させ、
前記遅延回路は、前記遮断検出回路によって前記主電源の遮断が検出されたときに、第２所定時間以上の間、前記バイアス電圧の生成する旨の前記制御信号を前記電圧発生部に出力し、
前記第１所定時間及び前記第２所定時間の各々は、前記閾値時間より長い、高圧電源装置。
【請求項２】
周面にトナー像が形成される感光体ドラム、前記感光体ドラムの周面を帯電させる帯電部、及び、前記感光体ドラムにトナーを供給する現像部を備える画像形成装置に配置され、前記現像部に電圧を印加する高圧電源装置であって、
前記画像形成装置に電力を供給する主電源が遮断されたときに、前記現像部に印加するバイアス電圧の立下り時間を、予め設定された閾値時間以上とする遅延部を備え、
前記閾値時間は、前記主電源が遮断された時点で前記感光体ドラムの周面の前記帯電部と対向する位置が前記現像部と対向する位置に到達するまでの時間であり、
前記遅延部は、前記現像部に印加するバイアス電圧の立下り時間を遅延させる蓄電素子を備え、
前記バイアス電圧を生成する電圧発生部を備え、
前記電圧発生部は、
制御信号に基づいて、直流電圧を出力する直流電源部と、
前記制御信号に基づいて、交流電圧を生成し、前記直流電圧に前記交流電圧を重畳する交流電源部と
を備え、
前記交流電源部は、重畳された電圧を前記現像部に印加し、
前記蓄電素子は、前記直流電源部と前記交流電源部との間に配置される、高圧電源装置。
【請求項３】
周面にトナー像が形成される感光体ドラム、前記感光体ドラムの周面を帯電させる帯電部、及び、前記感光体ドラムにトナーを供給する現像部を備える画像形成装置に配置され、前記現像部に電圧を印加する高圧電源装置であって、
前記画像形成装置に電力を供給する主電源が遮断されたときに、前記現像部に印加するバイアス電圧の立下り時間を、予め設定された閾値時間以上とする遅延部を備え、
前記閾値時間は、前記主電源が遮断された時点で前記感光体ドラムの周面の前記帯電部と対向する位置が前記現像部と対向する位置に到達するまでの時間であり、
前記バイアス電圧を生成する電圧発生部と、
前記電圧発生部に対して前記バイアス電圧の生成及び停止を指示する制御信号を出力する制御部と
を備え、
前記遅延部は、
前記主電源の遮断を検出する遮断検出回路と、
前記遮断検出回路によって前記主電源の遮断が検出された場合に、前記電圧発生部に対して前記バイアス電圧の停止を指示する旨の制御信号を遅延させる遅延回路と
を備え、
前記遮断検出回路は、蓄電素子を備え、
前記蓄電素子は、前記主電源が遮断された場合に、第１所定時間の間、前記遮断検出回路を動作させ、
前記遅延回路は、前記遮断検出回路によって前記主電源の遮断が検出されたときに、第２所定時間以上の間、前記バイアス電圧の生成する旨の前記制御信号を電源発生部に出力し、
前記第１所定時間及び前記第２所定時間の各々は、前記閾値時間より長い、高圧電源装置。
【請求項４】
周面にトナー像が形成される感光体ドラムと、
前記感光体ドラムの周面を帯電させる帯電部と、
前記感光体ドラムにトナーを供給する現像部と、
請求項１から請求項３のいずれか１項に記載の高圧電源装置と
を備える、画像形成装置。
【発明の詳細な説明】
【技術分野】
【０００１】
本発明は、高圧電源装置、及び、画像形成装置に関する。
【背景技術】
【０００２】
従来、２成分現像方式を用いた画像形成装置において、キャリア引きが発生することが知られている。キャリア引きとは、感光体ドラムの周面を帯電させた状態で現像バイアスをオフすると現像剤に含まれるキャリアが現像ローラーから感光体ドラムの周面に移動する現象である。
【０００３】
キャリア引きを抑制する種々の技術が提案されている。例えば、感光体周面の帯電状態に基づいて、現像バイアスをオフするタイミングを制御する画像形成装置が開示されている（特許文献１参照）。
【０００４】
特許文献１に記載の画像形成装置によれば、感光体へのキャリアの付着を抑制することができると記載されている。
【先行技術文献】
【特許文献】
【０００５】
【特許文献１】特開２００３−２８０４８３号公報
【発明の概要】
【発明が解決しようとする課題】
【０００６】
しかしながら、特許文献１に記載の画像形成装置では、感光体周面の帯電状態に基づいて現像バイアスをオフするタイミングを制御するため、停電のように印刷中に画像形成装置の主電源が遮断された場合には、感光体へのキャリアの付着を抑制することができない。その結果、感光体へのキャリアの付着が発生してしまう恐れがある。
【０００７】
本発明は、上記課題に鑑みてなされたものであり、印刷中に画像形成装置の主電源が遮断されたときに、感光体ドラムへのキャリアの付着を抑制することができる高圧電源装置及び画像形成装置を提供することを目的としている。
【課題を解決するための手段】
【０００８】
本発明の高圧電源装置は、感光体ドラム、帯電部、及び、現像部を備える画像形成装置に配置される。前記感光体ドラムは、周面にトナー像が形成される。前記帯電部は、前記感光体ドラムの周面を帯電させる。前記現像部は、前記感光体ドラムにトナーを供給する。また、前記高圧電源装置は前記現像部に電圧を印加する。前記高圧電源装置は、遅延部を備える。前記画像形成装置に電力を供給する主電源が遮断されたときに、前記遅延部は、前記現像部に印加するバイアス電圧の立下り時間が、予め設定された閾値時間以上とする。
【０００９】
本発明の画像形成装置は、感光体ドラム、帯電部、現像部、及び、前記高圧電源装置を備える。前記感光体ドラムは、周面にトナー像が形成される。前記帯電部は、前記感光体ドラムの周面を帯電させる。前記現像部は、前記感光体ドラムにトナーを供給する。
【発明の効果】
【００１０】
本発明の高圧電源装置及び画像形成装置によれば、印刷中に画像形成装置の主電源が遮断されたときに、感光体へのキャリアの付着を抑制することができる。
【図面の簡単な説明】
【００１１】
【図１】本発明の実施形態に係る画像形成装置の構成を示す側面図である。
【図２】図１に示す画像形成部及び転写部の構成を示す側面図である。
【図３】図２に示す感光体ドラム周辺の構成を示す側面図である。
【図４】本発明の第１実施形態に係る高圧電源装置を示す図である。
【図５】本発明の第２実施形態に係る高圧電源装置を示す図である。
【発明を実施するための形態】
【００１２】
以下、本発明の実施形態について、図面（図１〜図５）を参照しながら説明する。なお、図中、同一又は相当部分については同一の参照符号を付して説明を繰り返さない。
【００１３】
まず、図１を参照して、本実施形態に係る画像形成装置１について説明する。図１は、本実施形態に係る画像形成装置１の構成を示す図である。本実施形態において画像形成装置１は、カラー複写機である。
【００１４】
図１に示すように、画像形成装置１は、用紙Ｐ上に画像を形成する装置であって、筐体１０、給紙部２、搬送部Ｌ、トナー補給ユニット３、画像形成部４、転写部５、定着部７、及び、排出部８を備える。
【００１５】
給紙部２は、筐体１０の下部に配置され、用紙Ｐを搬送部Ｌへ供給する。給紙部２は、複数枚の用紙Ｐを収容可能であって、最上部の用紙Ｐを１枚ずつ搬送部Ｌへ供給する。
【００１６】
搬送部Ｌは、給紙部２によって供給された用紙Ｐを、転写部５及び定着部７を経由して排出部８まで搬送する。
【００１７】
トナー補給ユニット３は、画像形成部４にトナーを供給する容器であって、４つのトナーカートリッジ３ｃ、３ｍ、３ｙ、及び、３ｋを備える。トナーカートリッジ３ｃには、シアン色のトナーが収容される。トナーカートリッジ３ｍには、マゼンタ色のトナーが収容される。トナーカートリッジ３ｙには、イエロー色のトナーが収容される。トナーカートリッジ３ｋには、ブラック色のトナーが収容される。
【００１８】
以下、トナーカートリッジ３ｃ、３ｍ、３ｙをカラートナーカートリッジ３１と記載し、トナーカートリッジ３ｋをブラックトナーカートリッジ３２と記載する場合がある。
【００１９】
転写部５は、中間転写ベルト５４を備える。転写部５は、画像形成部４によって中間転写ベルト５４上に形成されたトナー像を、用紙Ｐ上に転写する。転写部５の構成については、図２を参照して後述する。
【００２０】
画像形成部４は、中間転写ベルト５４上にトナー像を形成する。画像形成部４には、各カラートナーカートリッジ３１とブラックトナーカートリッジ３２とから、それぞれ、各カラートナーとブラックトナーとが供給される。詳しくは、画像形成部４は、４つの画像形成部４ｃ、４ｍ、４ｙ、４ｋを含む。画像形成部４ｃには、トナーカートリッジ３ｃからシアントナーが供給される。画像形成部４ｍには、トナーカートリッジ３ｍからマゼンタトナーが供給される。画像形成部４ｙには、トナーカートリッジ３ｙからイエロートナーが供給される。画像形成部４ｋには、トナーカートリッジ３ｋからブラックトナーが供給される。画像形成部４の構成については、図２を参照して後述する。
【００２１】
定着部７は、転写部５によって用紙Ｐに形成されたトナー像を定着するローラー対であって、加熱ローラー７１及び加圧ローラー７２を備える。用紙Ｐは、加熱ローラー７１及び加圧ローラー７２によって加熱及び加圧される。その結果、定着部７によって、転写部５において用紙Ｐに転写された未定着のトナー像が定着される。
【００２２】
排出部８は、トナー像が定着された用紙Ｐを装置の外部へ排出する。
【００２３】
次に、図２を参照して画像形成部４及び転写部５の構成について説明する。図２は、画像形成部４及び転写部５の構成を示す側面図である。図２に示すように、画像形成部４は、４つの画像形成部４ｃ、４ｍ、４ｙ、４ｋを備える。
【００２４】
画像形成部４ｃ、４ｍ、４ｙ、４ｋは、それぞれ、露光装置４１、感光体ドラム４２、現像部４３、帯電ローラー４４、及び、クリーニングブレード４５を備える。４つの画像形成部４ｃ、４ｍ、４ｙ、４ｋの構成は、略同一である。したがって、本明細書では、シアントナーが供給される画像形成部４ｃの構成について説明し、画像形成部４ｃ以外の画像形成部４ｍ、４ｙ、４ｋの構成についての説明は省略する。
【００２５】
画像形成部４ｃは、露光部４１ｃ（４１）、感光体ドラム４２ｃ（４２）、現像部４３ｃ（４３）、帯電ローラー４４ｃ（４４）、及び、クリーニングブレード４５ｃ（４５）を有する。
【００２６】
帯電ローラー４４ｃは、感光体ドラム４２ｃを所定の電位に帯電させる。帯電ローラー４４ｃは、「帯電部」の一例に相当する。露光部４１ｃは、感光体ドラム４２ｃにレーザー光を照射して露光し、感光体ドラム４２ｃ上に静電潜像を形成する。現像部４３ｃは、現像ローラー４３１ｃを有する。現像ローラー４３１ｃは、感光体ドラム４２ｃにシアントナーを供給する。その結果、現像ローラー４３１ｃは、上記静電潜像を現像してトナー像を形成する。
【００２７】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアントナーが除去される。
【００２８】
本実施形態では、帯電ローラー４４が感光体ドラム４２を所定の電位に帯電させる形態について説明するが、その他の形態でもよい。例えば、帯電ブラシが感光体ドラム４２を所定の電位に帯電させる。
【００２９】
転写部５は、用紙Ｐにトナー像を転写する。転写部５は、４つの１次転写ローラー５１（５１ｃ、５１ｍ、５１ｙ、５１ｋ）、２次転写ローラー５２、駆動ローラー５３、中間転写ベルト５４、及び、従動ローラー５５を備える。
【００３０】
転写部５は、各画像形成部４ｃ、４ｍ、４ｙ、４ｋの感光体ドラム４２（４２ｃ、４２ｍ、４２ｙ、４２ｋ）に形成された各トナー像を重ねて中間転写ベルト５４に転写した後、重ねられたトナー像を中間転写ベルト５４から用紙Ｐに転写する。
【００３１】
１次転写ローラー５１ｃは、中間転写ベルト５４を介して感光体ドラム４２ｃに対向して配置される。１次転写ローラー５１ｃは、不図示の駆動機構によって中間転写ベルト５４を介して感光体ドラム４２ｃに圧接したり、感光体ドラム４２ｃから離れたりすることができる。１次転写ローラー５１ｃは、通常、中間転写ベルト５４を介して感光体ドラム４２ｃに圧接されている。他の１次転写ローラー５１ｍ、５１ｙ、５１ｋも１次転写ローラー５１ｃと同様に、それぞれ対応する感光体ドラム４２（４２ｍ、４２ｙ、又は４２ｋ）に中間転写ベルト５４を介して圧接されている。
【００３２】
駆動ローラー５３は、２次転写ローラー５２に対向して配置され、中間転写ベルト５４を駆動する。
【００３３】
中間転写ベルト５４は、４つの１次転写ローラー５１、駆動ローラー５３、及び、従動ローラー５５に張架された無端ベルトである。中間転写ベルト５４は、駆動ローラー５３によって、図２では矢印Ｆ１、Ｆ２に示す通り、反時計回りに回転駆動される。また、中間転写ベルト５４は、その表面側が各感光体ドラム４２（４２ｃ、４２ｍ、４２ｙ、４２ｋ）の周面に、それぞれ、当接している。中間転写ベルト５４の表面には、１次転写ローラー５１（５１ｃ、５１ｍ、５１ｙ、５１ｋ）によって、感光体ドラム４２（４２ｃ、４２ｍ、４２ｙ、４２ｋ）からトナー像が転写される。
【００３４】
中間転写ベルト５４は、具体的には、例えば、ポリイミド、ポリカーボネート、及び、ポリフッ化ビニリデンのような樹脂製のシームレスベルトである。
【００３５】
従動ローラー５５は、中間転写ベルト５４の回転に伴って回転駆動される。従動ローラー５５に、中間転写ベルト５４を介して対向する位置には、ブレード５６が配置されている。ブレード５６は、中間転写ベルト５４の表面に残留しているトナーを除去する。
【００３６】
２次転写ローラー５２は、駆動ローラー５３に押圧されている。その結果、２次転写ローラー５２と駆動ローラー５３との間にニップ部Ｎが形成される。２次転写ローラー５２及び駆動ローラー５３は、用紙Ｐがニップ部Ｎを通過する際に、中間転写ベルト５４上のトナー像を用紙Ｐに転写する。
【００３７】
次に、図３を参照して、本発明の目的について説明する。図３は、感光体ドラム４２ｃ周辺の構成を示す側面図である。感光体ドラム４２ｃの周辺には、帯電ローラー４４ｃ、及び、現像ローラー４３１ｃが配置されている。感光体ドラム４２ｃは、矢印Ｒで示すように時計回りに図略のモーターによって回転駆動される。
【００３８】
感光体ドラム４２ｃの周面は、帯電ローラー４４ｃに対向する位置Ｐ１で帯電される。そして、帯電された感光体ドラム４２ｃの周面が、時計回りに回転し、現像ローラー４３１ｃに対向する位置Ｐ２で２成分現像剤のトナーによって現像される。現像ローラー４３１ｃには現像バイアス電圧が印加されて、感光体ドラム４２ｃを現像させる。具体的には、例えば、感光体ドラム４２ｃの周面が３００Ｖに帯電している場合には、直流電圧２００Ｖとピーク電圧１４００Ｖの交流電圧とを重畳させた現像バイアス電圧を現像ローラー４３１ｃに印加する。その結果、トナーが感光体ドラム４２ｃの周面に付着して、現像される。
【００３９】
この場合には、２成分現像剤のうちトナーのみが感光体ドラム４２ｃに移動し、キャリアは現像ローラー４３１ｃに残ったままである。しかしながら、停電のように印刷中に画像形成装置１の主電源が遮断された場合には、以下のようにしてキャリアが感光体ドラム４２ｃに移動してしまう。
【００４０】
すなわち、感光体ドラム４２ｃの周面は、位置Ｐ１で帯電される。この状態で画像形成装置１の主電源が遮断された場合には、現像ローラー４３１ｃに現像バイアス電圧が印加されない状態となる。位置Ｐ１で帯電された感光体ドラム４２ｃの周面が、時計回りに回転し、位置Ｐ２へ到達したときに、キャリアが感光体ドラム４２ｃの周面に移動してしまう。
【００４１】
具体的には、画像形成装置１の主電源が遮断されたときに位置Ｐ１から位置Ｐ２までの間の感光体ドラム４２ｃの周面は帯電ローラー４４ｃによって帯電されている。また、感光体ドラム４２ｃを駆動するモーターは、主電源が遮断されてもすぐには停止せず、慣性によって回転する。したがって、主電源が遮断されたときには、位置Ｐ１で帯電された感光体ドラム４２ｃの周面が回転して位置Ｐ２に到達するまでの間、キャリアが感光体ドラム４２ｃの周面に移動され続けてしまう。位置Ｐ１で帯電された感光体ドラム４２ｃの周面が位置Ｐ２に到達するまでの時間は、例えば、数十ｍｓｅｃから数百ｍｓｅｃである。
【００４２】
なお、停電のように印刷中に画像形成装置１の主電源が遮断される場合には、印刷中にインターロックが作動して主電源が遮断される場合が含まれる。例えば、印刷中に画像形成装置１の側面に配置されたカバーが開放された場合には、インターロックが作動して主電源が遮断される。同様に、印刷中にユーザーが主電源をオフした場合にも、画像形成装置１の主電源が遮断される。
【００４３】
＜第１実施形態＞
次に、図４を参照して、本発明の第１実施形態に係る高圧電源装置９について説明する。図４は、第１実施形態に係る高圧電源装置９を示す図である。高圧電源装置９は、直流電源部９１、交流電源部９２、及び、コンデンサーＣを備えている。高圧電源装置９は、制御部６から出力される制御信号に基づいて動作する。高圧電源装置９は、画像形成装置１の適所に配置される。コンデンサーＣは、「蓄電素子」の一例に相当する。
【００４４】
制御部６は、高圧電源装置９に対して制御信号を出力する。制御部６は、例えば、現像ローラー４３１ｃに印加する現像バイアス電圧に含まれる直流電圧の電圧値、及び、交流電圧の電圧値を設定する。また、制御部６は、高圧電源装置９に対して、現像バイアス電圧を現像ローラー４３１ｃに印加するか否かを指示する。
【００４５】
直流電源部９１は、制御部６から出力された制御信号に基づいて、所定の電圧値の直流電圧を出力する。具体的には、直流電源部９１は、例えば、商用電源のような交流電源から供給される交流電圧を図略のＡＣ／ＤＣコンバーターによって、所定の電圧値の直流電圧に変換する。その後、直流電源部９１は、上記直流電圧を再び図略のＤＣ／ＡＣコンバーターによって交流電圧に変換し、その交流電圧を整流回路で整流して、上記所定の電圧値の直流電圧を出力する。
【００４６】
交流電源部９２は、制御部６から出力された制御信号に基づいて、交流電圧を生成する。また、交流電源部９２は、生成した交流電圧を、直流電源部９１から出力された直流電圧と重畳する。そして、交流電源部９２は、重畳された電圧を現像バイアス電圧として現像ローラー４３１ｃに印加する。
【００４７】
具体的には、交流電源部９２は、例えば、商用電源のような交流電源から供給される交流電圧を図略のＡＣ／ＤＣコンバーターによって、所定の電圧値の直流電圧に変換する。その後、交流電源部９２は、上記直流電圧を再び図略のＤＣ／ＡＣコンバーターによって、所定の電圧値の交流電圧に変換して出力する。
【００４８】
コンデンサーＣは、直流電源部９１と交流電源部９２との間に配置される。具体的には、コンデンサーＣの一方側端部（図４では、コンデンサーＣの上側端部）が直流電源部９１と交流電源部９２との間の配線に接続される。また、コンデンサーＣの他方側端部（図４では、コンデンサーＣの下側端部）が設置される。コンデンサーＣは、「蓄電素子」の一例に相当する。また、コンデンサーＣは、「遅延部」の一例に相当する。
【００４９】
直流電源部９１と交流電源部９２との間には、直流電源部９１によって生成された直流電圧が印加されているため、この直流電圧によって、コンデンサーＣが充電される。
【００５０】
また、印刷中に画像形成装置１の主電源が遮断された場合には、制御部６、直流電源部９１、及び、交流電源部９２には電力が供給されない。この場合には、コンデンサーＣは、交流電源部９２を介して現像ローラー４３１ｃに対して電力を供給する。換言すれば、コンデンサーＣによって現像ローラー４３１ｃに現像バイアス電圧が印加される。
【００５１】
なお、コンデンサーＣの容量は、予め設定された閾値時間ＴＨ以上の間、現像ローラー４３１ｃに現像バイアス電圧を印加することができる。なお、閾値時間ＴＨは、主電源が遮断される直前に位置Ｐ１（図３参照）で帯電された感光体ドラム４２の周面が、回転して位置Ｐ２に到達するまでの時間（例えば、０．２秒）である。
【００５２】
上述のように、コンデンサーＣが閾値時間ＴＨ以上の間、現像ローラー４３１ｃに現像バイアス電圧を印加する。よって、印刷中に画像形成装置１の主電源が遮断されたときに、現像ローラー４３１に印加するバイアス電圧の立下り時間を、閾値時間ＴＨ以上とすることができる。
【００５３】
その結果、印刷中に画像形成装置１の主電源が遮断されたときに、現像ローラー４３１に印加するバイアス電圧の立下り時間が閾値時間ＴＨ以上になるため、閾値時間ＴＨの間は、キャリアが感光体ドラム４２ｃの周面へ移動することを抑制できる。
【００５４】
更に、閾値時間ＴＨは、主電源が遮断される直前に位置Ｐ１で帯電された感光体ドラム４２の周面が、回転して位置Ｐ２に到達するまでの時間である。よって、閾値時間ＴＨが適正な値に設定されるため、キャリアが感光体ドラム４２ｃの周面へ移動することを更に確実に抑制できる。
【００５５】
なお、現像バイアス電圧を現像ローラー４３１ｃに印加する場合には、制御部６からＬ（ロー）信号が出力される。また、現像バイアス電圧を現像ローラー４３１ｃに印加しない場合には、制御部６からＨ（ハイ）信号が出力される。直流電源部９１にＨ（ハイ）信号が入力された場合には、交流電源部９２は、交流電源部９２と現像ローラー４３１ｃとの間の配線を遮断する。
【００５６】
＜第２実施形態＞
次に、図５を参照して、本発明の第２実施形態に係る高圧電源装置９ａについて説明する。図５は、第２実施形態に係る高圧電源装置９ａを示す図である。高圧電源装置９ａは、下記相違点Ａ及び相違点Ｂにおいて第１実施形態に係る高圧電源装置９と相違している。
相違点Ａ：高圧電源装置９ａは、コンデンサーＣを備えていない。
相違点Ｂ：高圧電源装置９ａは、遮断検出回路９３及び遅延回路９４を備えている。
以下の説明においては、冗長を避けるため、第１実施形態に係る高圧電源装置９と同一の構成には同一の参照符号を付し、その説明を省略する。
【００５７】
遮断検出回路９３は、画像形成装置１の主電源が遮断されたことを検出する。画像形成装置１の主電源が遮断された後でも第１所定時間の間、動作できるように、遮断検出回路９３には、微小な電力を蓄える蓄電素子が配置されている。例えば、第１所定時間は２．０秒であり、蓄電素子はコンデンサーである。遮断検出回路９３は、「遅延部」の一部に相当する。
【００５８】
遅延回路９４は、遮断検出回路９３によって画像形成装置１の主電源が遮断されたことが検出されたときに、予め設定された第２所定時間以上の間、Ｌ（ロー）信号を直流電源部９１に出力する。遅延回路９４は、「遅延部」の一部に相当する。第２所定時間は、例えば、１秒間である。
【００５９】
このようにして、印刷中に画像形成装置１の主電源が遮断されたときに、第２所定時間以上の間、Ｌ（ロー）信号が直流電源部９１に出力される。よって、直流電源部９１及び交流電源部９２に蓄積された電力が、第２所定時間以上の間、現像ローラー４３１ｃに供給される。したがって、現像ローラー４３１ｃに現像バイアス電圧が供給されるため、キャリアが感光体ドラム４２ｃの周面へ移動することを抑制できる。
【００６０】
なお、第１所定時間及び第２所定時間は、主電源が遮断される直前に位置Ｐ１で帯電された感光体ドラム４２ｃの周面が、回転して位置Ｐ２に到達するまでの時間以上に設定されていることが好ましい。この場合には、キャリアが感光体ドラム４２ｃの周面へ移動することを更に確実に抑制できる。
【００６１】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６２】
（１）第１実施形態では、コンデンサーＣが直流電源部９１と交流電源部９２との間に配置される形態について説明したが、コンデンサーＣが交流電源部９２と現像ローラー４３１ｃとの間に配置されている形態でもよい。
【００６３】
（２）第１実施形態では、直流電源部９１と交流電源部９２との間に１つのコンデンサーＣが配置される形態について説明したが、直流電源部９１と交流電源部９２との間に複数のコンデンサーが並列に配置される形態でもよい。この場合には、複数のコンデンサーに蓄積される電力が増大するため、長い時間に亘って現像ローラー４３１ｃに対して電力を供給することができる。
【００６４】
（３）第１実施形態では、直流電源部９１と交流電源部９２との間にコンデンサーＣが配置される形態について説明したが、その他の種類の蓄電素子が配置される形態でもよい。例えば、直流電源部９１と交流電源部９２との間に直列にインダクタンスが配置される形態でもよい。
【産業上の利用可能性】
【００６５】
本発明は、高圧電源装置及び画像形成装置に利用可能である。
【符号の説明】
【００６６】
１    画像形成装置
２    給紙部
３    トナー補給ユニット
４    画像形成部
４ｃ、４ｍ、４ｙ、４ｋ    画像形成部
４１    露光装置
４２    感光体ドラム
４２ｃ、４２ｍ、４２ｙ、４２ｋ    感光体ドラム
４３    現像部
４３ｃ、４３ｍ、４３ｙ、４３ｋ    現像部
４３１    現像ローラー
４３１ｃ、４３１ｍ、４３１ｙ、４３１ｋ    現像部
４４    帯電ローラー（帯電部）
４４ｃ、４４ｍ、４４ｙ、４４ｋ    帯電ローラー
４５    クリーニングブレード
４５ｃ、４５ｍ、４５ｙ、４５ｋ    クリーニングブレード
５    転写部
６    制御部
７    定着部
８    排出部
９、９ａ    高圧電源装置
９１    直流電源部
９２    交流電源部
９３    遮断検出回路（遅延部の一部）
９４    遅延回路（遅延部の一部）
Ｃ    コンデンサー（蓄電素子、遅延部）
Ｌ    搬送部
【図１】
0006390507.tif 000002
【図２】
0006390507.tif 000003
【図３】
0006390507.tif 000004
【図４】
0006390507.tif 000005
【図５】
0006390507.tif 000006